(57)【要約】【課題】電動送風機の送風効率を向上すること。【解決手段】ディフューザは、複数枚設けられた戻り翼６と支持板７とで一体成形される戻り翼間流路部１１と、静翼５一枚と静翼５の反ファンケース側の端面と隣の静翼の端面との間に形成された静翼間通路板１２と、静翼間通路板１２とファンケースとの間に、静翼５と隣の静翼５の間を覆う上部静翼間通路板１３とで一体成形された単翼部品１４を複数組み合わせることで形成された静翼間流路部１５とで構成され、且つ、静翼５を前記インペラの回転方向に合わせて傾斜させることにより、従来の金型構造上の問題が緩和され、ディフューザ８の流路形状の設定の範囲が広がることで、ディフューザ８にて発生する送風損失を抑えることが可能となり、電動送風機の送風効率向上が可能となる。【選択図】図２
2010014002.tif 000002
【特許請求の範囲】
【請求項１】
界磁巻線と界磁コアを有した界磁部と、前記界磁部の内側に配置され、電機子巻線と電機子コア及び回転軸を有する電機子と、前記界磁部を収納し、前記電機子をベアリングを介し回転自在に挟持するハウジングと、前記電機子の回転軸の一端に固定されたインペラと、前記インペラより吐き出された気流を直接圧力回復させる複数枚の静翼、及び前記静翼より吐き出された気流を前記ハウジング内へ導く複数枚の戻り翼、及び前記静翼と前記戻り翼との間に位置し気流の流路を形成する支持板とで構成されるディフューザと、前記インペラ及び前記ディフューザを覆い、かつ前記静翼の天面に接触するよう前記ハウジングに圧入固定されたファンケースとを備え、前記ディフューザは、前記戻り翼と支持板とで一体成形される戻り翼間流路部と、前記静翼一枚と前記静翼の反ファンケース側の端面と隣の静翼の端面との間に形成された静翼間通路板と、前記静翼間通路板とファンケースとの間に、前記静翼と隣の静翼の間を覆う上部静翼間通路板とで一体成形された単翼部品を複数組み合わせることで形成された静翼間流路部とで構成され、且つ、前記静翼を前記インペラの回転方向に合わせて傾斜させた電動送風機。
【請求項２】
上部静翼間通路板を、インペラより吐き出される気流の流れに沿って、戻り翼側へ傾斜させた請求項１に記載の電動送風機。
【請求項３】
ディフューザの静翼を、インペラの回転方向とは逆向きに膨らむＲ形状とした請求項１または２に記載の電動送風機。
【請求項４】
請求項１〜３のいずれか１項に記載の電動送風機を用いた電気掃除機。
【発明の詳細な説明】
【技術分野】
【０００１】
本発明は電動送風機の送風効率向上に関するものである。
【背景技術】
【０００２】
従来、この種の電動送風機に用いられるディフューザの多くは、静翼と支持板、及び戻り翼とが一体で樹脂成型されており、中には静翼から成る部品と、支持板及び戻り翼から成る部品との２部品で構成されるものもある。
【０００３】
図５は、特許文献１に記載された従来の電動送風機を示すものである。図５に示すように、界磁巻線と界磁コアを有した界磁部１と、前記界磁部１の内側に配置され、電機子巻線と電機子コア及び回転軸を有する電機子２と、前記界磁部１を収納し、前記電機子２をベアリングを介し回転自在に挟持するハウジング３と、前記電機子２の回転軸の一端に固定されたインペラ４と、前記インペラ４が回転することにより発生した気流を導くディフューザ８と、前記インペラ４及び前記ディフューザ８を覆い、かつ前記静翼の天面に接触するよう前記ハウジング３に圧入固定されたファンケース９とで構成され、前記ディフューザ８は、前記インペラ４より吐き出された気流を直接圧力回復させる静翼５を複数枚及び、前記静翼５より吐き出された気流を前記ハウジング３内へ導く戻り翼６を複数枚、及び前記静翼５と前記戻り翼６との間に位置し気流の流路を形成する支持板７と、前記静翼５の前記ファンケース９側の端部に形成された環状支持板１０とで構成され、これらは前記静翼５と前記環状支持板１０とで構成された部品と、前記戻り翼６と前記支持板７とで構成された部品との２部品で形成されている。
【０００４】
以上のように構成された電動送風機について、以下その動作について説明する。
【０００５】
電動送風機に電源が印加されると、界磁部１より発生した磁束により、電機子２が高速回転を始める。次に電機子２が回転することにより、回転軸の一端に固定されたインペラ４が回転する。インペラ４が高速回転をすることにより、空気がファンケース９の吸気口から入り、インペラ４より圧縮され吐き出された空気は、ディフューザ８の静翼５と支持板７と環状支持板１０とで形成される流路を通り圧力回復をしながら、戻り翼６を通過して、ハウジング３内部へ導かれ、最終的に電動送風機の外部へ排出される。
【特許文献１】特開平７−１８９９９４号公報
【発明の開示】
【発明が解決しようとする課題】
【０００６】
しかしながら、前記従来の構成では、ディフューザの複数枚の静翼と環状支持板とが一体成形されており、金型の構成上は、静翼方向と環状支持板方向の上下抜きで行っているため、金型構造を考慮し、ディフューザの流路形状（主に静翼の横方向）を自由に設定することが困難となり、ディフューザにて発生する送風損失を抑えることが困難となる課題を有していた。
【０００７】
本発明は、前記従来の課題を解決するもので、ディフューザの送風効率の向上を特徴とした電動送風機を提供することを目的とする。
【課題を解決するための手段】
【０００８】
前記従来の課題を解決する為に、本発明の電動送風機のディフューザは、複数枚設けられた戻り翼と支持板とで一体成形される戻り翼間流路部と、静翼一枚と静翼の反ファンケース側の端面と隣の静翼の端面との間に形成された静翼間通路板と、静翼間通路板とファンケースとの間に、静翼と隣の静翼の間を覆う上部静翼間通路板とで一体成形された単翼部品を複数組み合わせることで形成され、且つ、前記静翼を前記インペラの回転方向に合わせて傾斜させたものである。
【０００９】
これによって、従来の金型構造上の問題が緩和され、ディフューザの流路形状（主に静翼の横方向）を自由に設定することができ、且つ、静翼をインペラの回転方向に合わせて傾斜させていることにより、静翼間を流れている風を、効率よく戻り翼へ導くことができ、電動送風機の送風効率の向上が可能となる。
【発明の効果】
【００１０】
本発明の電動送風機は、従来の金型構造上の問題が緩和され、ディフューザの流路形状の設定の範囲が広がることで、ディフューザにて発生する送風損失を抑えることが可能となり、電動送風機の送風効率を向上することができる。
【発明を実施するための最良の形態】
【００１１】
第１の発明は、ディフューザの複数枚設けられた前記戻り翼と前記支持板とで一体成形される戻り翼間流路部と、前記静翼一枚と前記静翼の反ファンケース側の端面と隣の静翼の端面との間に形成された静翼間通路板と、前記静翼間通路板とファンケースとの間に、前記静翼と隣の静翼の間を覆う上部静翼間通路板とで一体成形された単翼部品を複数組み合わせることで形成された静翼間流路部とで構成され、且つ、前記静翼を前記インペラの回転方向に合わせて傾斜させることにより、従来の金型構造上の問題が緩和され、ディフューザの流路形状（主に静翼の横方向）を自由に設定することができ、且つ、静翼をインペラの回転方向に合わせて傾斜させていることにより、静翼間を流れている風を、効率よく戻り翼へ導くことができ、電動送風機の送風効率の向上が可能となる。
【００１２】
第２の発明は、第１の発明の上部静翼間通路板を、インペラより吐き出される気流の流れに沿って、戻り翼側へ傾斜させることにより、静翼間を流れている風を、効率よく戻り翼へ導くことができ、電動送風機の送風効率の向上が可能となる。
【００１３】
第３の発明は、第１または第２の発明の静翼を、インペラの回転方向とは逆向きに膨らむＲ形状とすることのより、静翼の内壁（Ｒ形状凹部）に気流がぶつかる衝突損失を軽減することが可能となり、電動送風機の送風効率を向上することができる。
【００１４】
第４の発明は、第１〜第３のいずれか１つの発明の電動送風機を用いた電気掃除機としたので、第１〜第３のいずれか１つの発明の電動送風機の効果を備えた電気掃除機を提供できるようになる。
【００１５】
以下、本発明の実施の形態について、図面を参照しながら説明する。なお、この実施の形態によって本発明が限定されるものではない。
【００１６】
（実施の形態１）
図１は本発明の第１の実施の形態における電動送風機の断面図、図２は本発明の第１の実施の形態におけるディフューザの構成図を示すものである。
【００１７】
図１及び図２において、界磁巻線と界磁コアを有した界磁部１と、前記界磁部１の内側に配置され、電機子巻線と電機子コア及び回転軸を有する電機子２と、前記界磁部１を収納し、前記電機子２をベアリングを介し回転自在に挟持するハウジング３と、前記電機子２の回転軸の一端に固定されたインペラ４と、前記インペラ４より吐き出された気流を直接圧力回復させる静翼５を複数枚及び、前記静翼５より吐き出された気流を前記ハウジング３内へ導く戻り翼６を複数枚、及び前記静翼５と前記戻り翼６との間に位置し気流の流路を形成す支持板７とで構成されるディフューザ８と、前記インペラ４及び前記ディフューザ８を覆い、かつ前記静翼５の天面に接触するよう前記ハウジング３に圧入固定されたファンケース９とで構成され、前記ディフューザ８は、複数枚設けられた前記戻り翼６と、前記支持板７とで一体成形される戻り翼間流路部１１と、前記静翼５一枚と前記静翼５の反ファンケース９側の端面と隣の静翼５の端面との間に形成された静翼間通路板１２と、前記静翼間通路板１２とファンケース９との間に、前記静翼５と隣の静翼５の間を覆う上部静翼間通路板１３とで一体成形された単翼部品１４を複数組み合わせることで形成された静翼間流路部１５とで構成され、且つ、前記静翼５を前記インペラ４の回転方向に合わせて傾斜形状１６としている。
【００１８】
以上のように構成された電動送風機について、以下その動作、作用を説明する。
【００１９】
まず、電動送風機に電源が印加されると、界磁部１より発生した磁束により、電機子２が高速回転を始める。次に電機子２が回転することにより、回転軸の一端に固定されたインペラ４が回転する。インペラ４が高速回転をすることにより、空気がファンケース９の吸気口から入り、インペラ４より圧縮され吐き出された空気は、ディフューザ８の静翼５と静翼間通路板１２と上部静翼間通路板１３とで形成される静翼間流路部１５を通り圧力回復をしながら、戻り翼６と支持板７とハウジング３とで形成される戻り翼間流路部１１を通過して、ハウジング３内部へ導かれ、最終的に電動送風機の外部へ排出される。
【００２０】
また、ディフューザ８の静翼間流路部１５は、前記静翼５一枚と、前記静翼５の反ファンケース９側の端面と隣の静翼５の端面との間に形成された静翼間通路板１２と静翼間通路板１２とファンケース９との間に、前記静翼５と隣の静翼５の間を覆う上部静翼間通路板１３とで一体成形された単翼部品１４を複数組み合わせることで形成されていることにより、従来の金型構造上の問題が緩和され、ディフューザ８の流路形状（主に静翼５の横方向）を自由に設定することができ、且つ、静翼５をインペラの回転方向に合わせて傾斜させていることにより、静翼５間を流れている風を、効率よく戻り翼６へ導くことができ、電動送風機の送風効率の向上が可能となる。
【００２１】
以上のように、本実施の形態においては、ディフューザの複数枚設けられた前記戻り翼と前記支持板とで一体成形される戻り翼間流路部と、前記静翼一枚と前記静翼の反ファンケース側の端面と隣の静翼の端面との間に形成された静翼間通路板と、前記静翼間通路板とファンケースとの間に、前記静翼と隣の静翼の間を覆う上部静翼間通路板とで一体成形された単翼部品を複数組み合わせることで形成された静翼間流路部とで構成され、且つ、前記静翼を前記インペラの回転方向に合わせて傾斜させることにより、従来の金型構造上の問題が緩和され、ディフューザの流路形状（主に静翼の横方向）を自由に設定することができ、且つ、静翼をインペラの回転方向に合わせて傾斜させていることにより、静翼間を流れている風を、効率よく戻り翼へ導くことができ、電動送風機の送風効率の向上が可能となる。
【００２２】
（実施の形態２）
図３は、本発明の第２の実施の形態の電動送風機の断面図である。なお実施の形態１と同一構成部品については同一符号を付して、その説明を省略する。
【００２３】
図３において、上部静翼間通路板１３を、インペラ４より吐き出される気流の流れに沿って、戻り翼６側へ傾斜形状１６としている。
【００２４】
以上のように構成された電動送風機について、以下その動作、作用を説明する。
【００２５】
まず、インペラ４が高速回転をすることにより、空気がファンケース９の吸気口から入り、インペラ４より圧縮され吐き出された空気は、ディフューザ８の静翼５と静翼間通路板１２と傾斜形状１６をしている上部静翼間通路板１３とで形成される静翼間流路部１５を通り圧力回復をしながら、戻り翼６と支持板７とハウジング３とで形成される戻り翼間流路部１１を通過して、ハウジング３内部へ導かれ、最終的に電動送風機の外部へ排出される。
【００２６】
また、静翼間流路部１５から戻り翼間流路部１１へ風が流れる際、上部静翼間通路板１３を、インペラ４より吐き出される気流の流れに沿って、戻り翼６側へ傾斜させることにより、静翼５間を流れている風を、効率よく戻り翼６へ導くことができ、電動送風機の送風効率を向上することができる。
【００２７】
以上のように、本実施の形態においては、上部静翼間通路板を、インペラより吐き出される気流の流れに沿って、戻り翼側へ傾斜させることにより、静翼間を流れている風を、効率よく戻り翼へ導くことができ、電動送風機の送風効率の向上が可能となる。
【００２８】
（実施の形態３）
図４は、本発明の第４の実施の形態のディフューザの構成図である。なお実施の形態１と同一構成部品については同一符号を付して、その説明を省略する。
【００２９】
図４において、ディフューザ８の静翼５を、インペラ４の回転方向とは逆向きに膨らむＲ形状１７としている。
【００３０】
以上のように構成された電動送風機について、以下その動作、作用を説明する。
【００３１】
まず、インペラ４の回転により圧縮され吐き出された空気は、ディフューザ８の静翼５と静翼間通路板１２と上部静翼間通路板１３とで形成される流路を通り圧力回復をしながら、戻り翼６と支持板７とハウジング３とで形成される戻り流路を通過して、ハウジング３内部へ導かれ、最終的に電動送風機の外部へ排出される。
【００３２】
この際、静翼５をＲ形状１７とすることにより、静翼５の内壁（Ｒ形状凹部）に気流がぶつかる衝突損失を軽減することが可能となり、電動送風機の送風効率を向上することができる。
【００３３】
以上のように、本実施の形態においては、ディフューザの静翼を、インペラの回転方向とは逆向きに膨らむＲ形状とすることにより、静翼の内壁（Ｒ形状凹部）に気流がぶつかる衝突損失を軽減することが可能となり、電動送風機の送風効率を向上することができる。
【産業上の利用可能性】
【００３４】
以上のように、本発明にかかる電動送風機は、送風効率が向上し、吸引力を発生させる電動送風機を用いる機器の用途に適用できる。
【図面の簡単な説明】
【００３５】
【図１】本発明の実施の形態１における電動送風機の断面図
【図２】本発明の実施の形態１におけるディフューザの構成図
【図３】本発明の実施の形態２におけるディフューザの断面図
【図４】本発明の実施の形態３におけるディフューザの構成図
【図５】従来の電動送風機の断面図
【符号の説明】
【００３６】
１    界磁部
２    電機子
３    ハウジング
４    インペラ
５    静翼
６    戻り翼
７    支持板
８    ディフューザ
９    ファンケース
１０  環状支持板
１１  戻り翼間流路部
１２  静翼間通路板
１３  上部静翼間通路板
１４  単翼部品
１５  静翼間流路部
１６  傾斜形状
１７  Ｒ形状
【図１】
2010014002.tif 000003
【図２】
2010014002.tif 000004
【図３】
2010014002.tif 000005
【図４】
2010014002.tif 000006
【図５】
2010014002.tif 000007